(57)【要約】      （修正有）【課題】収納繰出部から紙幣を繰り出す際に紙幣の繰り出し不良が発生することを防止することができ、しかも紙幣の出金処理が行われる際に表裏の揃った出金紙幣を操作者が受け取るようにすることができる紙幣処理装置および紙幣処理方法を提供する。【解決手段】制御部は、紙幣の入金処理時において投入部（例えば、入金部１４）により筐体１２内に投入された紙幣が収納繰出部（例えば、金種別バラ紙幣収納庫３４）に収納される際に紙幣の表裏が交互に入れ替えられた状態で収納繰出部に収納されるよう紙幣の表裏を表裏反転部２２により選択的に反転させ、また、紙幣の出金処理時において投出部（例えば、バラ紙幣出金部１６）に集積される紙幣の表裏が揃うよう収納繰出部から搬送部１５に繰り出されて当該搬送部１５により投出部に送られる紙幣の表裏を表裏反転部２２により選択的に反転させるよう表裏反転部２２の制御を行う。【選択図】図２
2016177570.tif 000002
【特許請求の範囲】
【請求項１】
筐体と、
前記筐体内に紙幣を投入するための投入部と、
前記筐体外に紙幣を投出するための投出部と、
前記筐体内に設けられ、前記投入部および前記投出部にそれぞれ接続され、前記筐体内で紙幣を搬送する搬送部と、
前記搬送部に設けられ、当該搬送部により搬送される紙幣の表裏を選択的に反転させる表裏反転部と、
前記筐体内に設けられ、前記搬送部に接続され、当該搬送部から送られた紙幣を収納するとともに収納されている紙幣を前記搬送部に繰り出すことができる収納繰出部と、
前記搬送部、前記表裏反転部および前記収納繰出部の制御を行う制御部と、
を備え、
前記制御部は、紙幣の入金処理時において前記投入部により前記筐体内に投入された紙幣が前記収納繰出部に収納される際に紙幣の表裏が交互に入れ替えられた状態で前記収納繰出部に収納されるように紙幣の表裏を前記表裏反転部により選択的に反転させ、また、紙幣の出金処理時において前記投出部に集積される紙幣の表裏が揃うように前記収納繰出部から前記搬送部に繰り出されて当該搬送部により前記投出部に送られる紙幣の表裏を前記表裏反転部により選択的に反転させるよう、前記表裏反転部の制御を行う、紙幣処理装置。
【請求項２】
前記制御部は、紙幣の入金処理時において前記投入部により前記筐体内に投入された紙幣が前記収納繰出部に収納される際に紙幣の表裏が所定の枚数毎に交互に入れ替えられた状態で前記収納繰出部に収納されるように紙幣の表裏を選択的に反転させるよう、前記表裏反転部の制御を行う、請求項１記載の紙幣処理装置。
【請求項３】
前記搬送部には、当該搬送部により搬送される紙幣の識別を行う識別部が設けられており、紙幣の入金処理時および出金処理時において、前記表裏反転部に紙幣が送られる前に当該紙幣は前記識別部により識別されるようになっており、
前記制御部は、前記識別部による紙幣の表裏に係る識別結果に基づいて、当該識別部により識別された紙幣を前記表裏反転部により反転させるか否かを決めるようになっている、請求項１または２記載の紙幣処理装置。
【請求項４】
紙幣の入金処理時において前記投入部により前記筐体内に投入された紙幣が前記収納繰出部に送られる前に一時的に保留される入金一時保留部が設けられており、
前記入金一時保留部は、前記搬送部に接続され、当該搬送部から送られた紙幣を収納するとともに収納されている紙幣を前記搬送部に繰り出すことができるようになっている、請求項１乃至３のいずれか一項に記載の紙幣処理装置。
【請求項５】
前記投入部により前記筐体内に投入された紙幣が前記入金一時保留部に送られる前に当該紙幣は前記表裏反転部を通るようになっており、
前記制御部は、紙幣の入金処理時において前記投入部により前記筐体内に投入された紙幣が前記入金一時保留部に収納される際に紙幣の表裏が交互に入れ替えられた状態で前記入金一時保留部に収納されるように紙幣の表裏を前記表裏反転部により選択的に反転させるよう、前記表裏反転部の制御を行う、請求項４記載の紙幣処理装置。
【請求項６】
前記制御部は、前記投入部により前記筐体内に投入された紙幣が前記入金一時保留部に送られる前に当該紙幣が前記表裏反転部を通るとともに前記入金一時保留部から前記収納繰出部に紙幣が送られる際にも当該紙幣が前記表裏反転部を通るよう、前記搬送部の制御を行う、請求項４または５記載の紙幣処理装置。
【請求項７】
前記制御部は、紙幣の入金処理時および出金処理時において紙幣が共通の前記表裏反転部を通るよう、前記搬送部の制御を行う、請求項１乃至６のいずれか一項に記載の紙幣処理装置。
【請求項８】
前記搬送部は、前記収納繰出部から前記投入部と前記表裏反転部との間の箇所に紙幣を送る第１出金用搬送路および前記表裏反転部と前記収納繰出部との間の箇所から前記投出部に紙幣を送る第２出金用搬送路を有している、請求項７記載の紙幣処理装置。
【請求項９】
紙幣の入金処理時において紙幣処理装置の筐体内に投入された紙幣が収納繰出部に収納される際に紙幣の表裏が交互に入れ替えられた状態で前記収納繰出部に収納されるように前記紙幣処理装置の前記筐体内に投入された紙幣の表裏を選択的に反転させる工程と、
紙幣の出金処理時において投出部に集積される紙幣の表裏が揃うように前記収納繰出部から搬送部に繰り出されて当該搬送部により前記投出部に送られる紙幣の表裏を選択的に反転させる工程と、
を備えた、紙幣処理方法。
【発明の詳細な説明】
【技術分野】
【０００１】
本発明は、紙幣の入金処理および出金処理をそれぞれ行うことができる紙幣処理装置およびこのような紙幣処理装置による紙幣処理方法に関する。
【背景技術】
【０００２】
紙幣の入金処理や出金処理を行う出納機等の紙幣処理装置として従来から様々なタイプのものが知られている。例えば、特許文献１や特許文献２には、紙幣の入金処理において筐体内に投入された紙幣を金種別収納庫に積層状態で収納させ、紙幣の出金処理時には金種別収納庫から繰り出された紙幣を筐体外に投出するような紙幣処理装置が開示されている。なお、金種別収納庫として、特許文献１では上端部から紙幣を繰り入れて収納するととともに収納されている紙幣を下端部から繰り出すものが用いられており、一方、特許文献２では上端部から紙幣を繰り入れて収納するととともに収納されている紙幣を上端部から繰り出すものが用いられている。
【先行技術文献】
【特許文献】
【０００３】
【特許文献１】特開２０１４−１６４３４９号公報
【特許文献２】特許第５４６５４１７号
【発明の概要】
【発明が解決しようとする課題】
【０００４】
従来の紙幣処理装置では、金種別収納庫に紙幣を積層状態で収納させる際に、表裏を揃えて紙幣を金種別収納庫に収納させると、金種別収納庫における紙幣の収納枚数が多くなった場合に（例えば、２０００〜３０００枚）、各紙幣の印刷面の凹凸が積み重なることにより最上層の紙幣が水平状態ではなくなってしまい、このような状態で紙幣を上端部から繰り出すと紙幣の繰り出し不良が発生してしまうおそれがある。また、積層状態で紙幣が収納された金種別収納庫の下端部から紙幣を繰り出す場合にも、表裏を揃えて紙幣を金種別収納庫に収納させると、金種別収納庫における紙幣の収納枚数が多くなった場合に、紙幣の印刷面の凹凸が重なった状態となり紙幣間の隙間がなくなってしまうため紙幣と紙幣の分離を行うことができにくくなり、よって紙幣の繰り出し不良が発生してしまうおそれがある。このため、紙幣の入金処理時において金種別収納庫に紙幣を収納させる際に表裏反転部により紙幣の表裏を選択的に反転させることにより金種別収納庫に収納される紙幣の表裏が所定の枚数毎に交互に入れ替わるようにすることが考えられる。
【０００５】
しかしながら、紙幣の入金処理時において金種別収納庫に紙幣を収納させる際に表裏反転部により紙幣の表裏を選択的に反転させることにより金種別収納庫に収納される紙幣の表裏が所定の枚数毎に交互に入れ替わるようにした場合には、紙幣の出金処理時においてこの金種別収納庫から紙幣を繰り出して投出部に集積させると、投出部に集積される紙幣の表裏が揃わなくなってしまうおそれがある。
【０００６】
本発明は、このような点を考慮してなされたものであり、収納繰出部から紙幣を繰り出す際に紙幣の繰り出し不良が発生することを防止することができ、しかも紙幣の出金処理が行われる際に表裏の揃った出金紙幣を操作者が受け取るようにすることができる紙幣処理装置および紙幣処理方法を提供することを目的とする。
【課題を解決するための手段】
【０００７】
本発明の紙幣処理装置は、筐体と、前記筐体内に紙幣を投入するための投入部と、前記筐体外に紙幣を投出するための投出部と、前記筐体内に設けられ、前記投入部および前記投出部にそれぞれ接続され、前記筐体内で紙幣を搬送する搬送部と、前記搬送部に設けられ、当該搬送部により搬送される紙幣の表裏を選択的に反転させる表裏反転部と、前記筐体内に設けられ、前記搬送部に接続され、当該搬送部から送られた紙幣を収納するとともに収納されている紙幣を前記搬送部に繰り出すことができる収納繰出部と、前記搬送部、前記表裏反転部および前記収納繰出部の制御を行う制御部と、を備え、前記制御部は、紙幣の入金処理時において前記投入部により前記筐体内に投入された紙幣が前記収納繰出部に収納される際に紙幣の表裏が交互に入れ替えられた状態で前記収納繰出部に収納されるように紙幣の表裏を前記表裏反転部により選択的に反転させ、また、紙幣の出金処理時において前記投出部に集積される紙幣の表裏が揃うように前記収納繰出部から前記搬送部に繰り出されて当該搬送部により前記投出部に送られる紙幣の表裏を前記表裏反転部により選択的に反転させるよう、前記表裏反転部の制御を行うことを特徴とする。
【０００８】
このような紙幣処理装置によれば、収納繰出部に収納される紙幣の表裏が交互に入れ替わるようにすることによって当該収納繰出部から紙幣を繰り出す際に紙幣の繰り出し不良が発生することを防止することができ、しかも投出部に集積される紙幣の表裏を揃えることによって紙幣の出金処理が行われる際に表裏の揃った出金紙幣を操作者が受け取るようにすることができる。
【０００９】
本発明の紙幣処理装置においては、前記制御部は、紙幣の入金処理時において前記投入部により前記筐体内に投入された紙幣が前記収納繰出部に収納される際に紙幣の表裏が所定の枚数毎に交互に入れ替えられた状態で前記収納繰出部に収納されるように紙幣の表裏を選択的に反転させるよう、前記表裏反転部の制御を行うようになっていてもよい。
【００１０】
本発明の紙幣処理装置においては、前記搬送部には、当該搬送部により搬送される紙幣の識別を行う識別部が設けられており、紙幣の入金処理時および出金処理時において、前記表裏反転部に紙幣が送られる前に当該紙幣は前記識別部により識別されるようになっており、前記制御部は、前記識別部による紙幣の表裏に係る識別結果に基づいて、当該識別部により識別された紙幣を前記表裏反転部により反転させるか否かを決めるようになっていてもよい。
【００１１】
本発明の紙幣処理装置においては、紙幣の入金処理時において前記投入部により前記筐体内に投入された紙幣が前記収納繰出部に送られる前に一時的に保留される入金一時保留部が設けられており、前記入金一時保留部は、前記搬送部に接続され、当該搬送部から送られた紙幣を収納するとともに収納されている紙幣を前記搬送部に繰り出すことができるようになっていてもよい。
【００１２】
この場合、前記投入部により前記筐体内に投入された紙幣が前記入金一時保留部に送られる前に当該紙幣は前記表裏反転部を通るようになっており、前記制御部は、紙幣の入金処理時において前記投入部により前記筐体内に投入された紙幣が前記入金一時保留部に収納される際に紙幣の表裏が交互に入れ替えられた状態で前記入金一時保留部に収納されるように紙幣の表裏を前記表裏反転部により選択的に反転させるよう、前記表裏反転部の制御を行うようになっていてもよい。
【００１３】
また、前記制御部は、前記投入部により前記筐体内に投入された紙幣が前記入金一時保留部に送られる前に当該紙幣が前記表裏反転部を通るとともに前記入金一時保留部から前記収納繰出部に紙幣が送られる際にも当該紙幣が前記表裏反転部を通るよう、前記搬送部の制御を行うようになっていてもよい。
【００１４】
本発明の紙幣処理装置においては、前記制御部は、紙幣の入金処理時および出金処理時において紙幣が共通の前記表裏反転部を通るよう、前記搬送部の制御を行うようになっていてもよい。
【００１５】
この場合、前記搬送部は、前記収納繰出部から前記投入部と前記表裏反転部との間の箇所に紙幣を送る第１出金用搬送路および前記表裏反転部と前記収納繰出部との間の箇所から前記投出部に紙幣を送る第２出金用搬送路を有していてもよい。
【００１６】
本発明の紙幣処理方法は、紙幣の入金処理時において紙幣処理装置の筐体内に投入された紙幣が収納繰出部に収納される際に紙幣の表裏が交互に入れ替えられた状態で前記収納繰出部に収納されるように前記紙幣処理装置の前記筐体内に投入された紙幣の表裏を選択的に反転させる工程と、紙幣の出金処理時において投出部に集積される紙幣の表裏が揃うように前記収納繰出部から搬送部に繰り出されて当該搬送部により前記投出部に送られる紙幣の表裏を選択的に反転させる工程と、を備えたことを特徴とする。
【００１７】
このような紙幣処理方法によれば、収納繰出部に収納される紙幣の表裏が交互に入れ替わるようにすることによって当該収納繰出部から紙幣を繰り出す際に紙幣の繰り出し不良が発生することを防止することができ、しかも投出部に集積される紙幣の表裏を揃えることによって紙幣の出金処理が行われる際に表裏の揃った出金紙幣を操作者が受け取るようにすることができる。
【発明の効果】
【００１８】
本発明の紙幣処理装置および紙幣処理方法によれば、収納繰出部から紙幣を繰り出す際に紙幣の繰り出し不良が発生することを防止することができ、しかも紙幣の出金処理が行われる際に表裏の揃った出金紙幣を操作者が受け取るようにすることができる。
【図面の簡単な説明】
【００１９】
【図１】本発明の実施の形態による貨幣処理機の外観を示す斜視図である。
【図２】図１に示す貨幣処理機における紙幣処理装置の内部構成を概略的に示す概略構成図である。
【図３】図１や図２に示す貨幣処理機における制御系の構成を示す機能ブロック図である。
【図４】図１等に示す貨幣処理機の紙幣処理装置においてバラ紙幣の入金処理が行われる際の動作を示すフローチャートである。
【図５】（ａ）（ｂ）は、図１等に示す貨幣処理機の紙幣処理装置においてバラ紙幣の入金処理が行われる際の当該バラ紙幣の流れを示す図である。
【図６】図１等に示す貨幣処理機の紙幣処理装置においてバラ紙幣の出金処理が行われる際の動作を示すフローチャートである。
【図７】図１等に示す貨幣処理機の紙幣処理装置においてバラ紙幣の出金処理が行われる際の当該バラ紙幣の流れを示す図である。
【図８】（ａ）（ｂ）は、図１等に示す貨幣処理機の紙幣処理装置においてバラ紙幣の入金処理が行われる際に入金一時保留部から繰り出されたバラ紙幣が直接的に帯封機構に送られるような運用が行われるときの当該バラ紙幣の流れを示す図である。
【発明を実施するための形態】
【００２０】
以下、図面を参照して本発明の実施の形態について説明する。図１乃至図８は、本実施の形態に係る紙幣処理装置およびこのような紙幣処理装置を備えた貨幣処理機を示す図である。このうち、図１は、本実施の形態による貨幣処理機の外観を示す斜視図であり、図２は、図１に示す貨幣処理機における紙幣処理装置の内部構成を概略的に示す概略構成図であり、図３は、図１や図２に示す貨幣処理機における制御系の構成を示す機能ブロック図である。また、図４は、図１等に示す貨幣処理機の紙幣処理装置においてバラ紙幣の入金処理が行われる際の動作を示すフローチャートであり、図５（ａ）（ｂ）は、図１等に示す貨幣処理機の紙幣処理装置においてバラ紙幣の入金処理が行われる際の当該バラ紙幣の流れを示す図である。また、図６は、図１等に示す貨幣処理機の紙幣処理装置においてバラ紙幣の出金処理が行われる際の動作を示すフローチャートであり、図７は、図１等に示す貨幣処理機の紙幣処理装置においてバラ紙幣の出金処理が行われる際の当該バラ紙幣の流れを示す図である。また、図８（ａ）（ｂ）は、図１等に示す貨幣処理機の紙幣処理装置においてバラ紙幣の入金処理が行われる際に入金一時保留部から繰り出されたバラ紙幣が直接的に帯封機構に送られるような運用が行われるときの当該バラ紙幣の流れを示す図である。
【００２１】
本実施の形態による貨幣処理機１は、バラ紙幣やバラ硬貨の入金処理や出金処理を行うことができるとともに、機体内で所定枚数（例えば、１００枚）のバラ紙幣から帯封紙幣を形成したり帯封紙幣の出金処理を行ったりすることができるようになっている。図１に示すように、本実施の形態による貨幣処理機１は、左右に並ぶよう配置された紙幣処理装置２および硬貨処理装置３から構成されている。なお、硬貨処理装置３については本発明と直接的な関係がないためその説明を省略する。
【００２２】
本実施の形態による貨幣処理機１における紙幣処理装置２の内部構成の詳細について図１および図２を用いて説明する。図１および図２に示すように、紙幣処理装置２は略直方体形状の筐体１２を有しており、この筐体１２の前面には、筐体１２の外部から内部にバラ紙幣を入金するための入金部１４、筐体１２の内部から外部にバラ紙幣を出金するためのバラ紙幣出金部１６、および筐体１２の内部から外部に帯封紙幣を出金するための帯封紙幣出金部１７がそれぞれ設けられている。なお、図２における筐体１２の左側の側面が紙幣処理装置２の前面側（すなわち、図１に示すように紙幣処理装置２を見たときの正面側）となっており、図２における右方向が筐体１２の奥行き方向となっている。ここで、図２に示すように、入金部１４にはシャッター１４ａが設けられており、このシャッター１４ａは、入金部１４における筐体１２の前面に面する開口を開閉するようになっている。そして、シャッター１４ａにより入金部１４の開口が開かれると、操作者は入金部１４にアクセスすることができるようになり、当該操作者は入金部１４に１または複数のバラ紙幣を積層状態で投入することができるようになる。なお、図１では、シャッター１４ａが開かれて操作者が入金部１４にアクセスすることができるようになっている状態が示されている。このようなシャッター１４ａはシャッター駆動部１４ｂ（図３参照）により駆動されるようになっている。なお、シャッター１４ａを設けずに入金部１４を開放したままの状態としてもよい。また、バラ紙幣出金部１６にはシャッター１６ａが設けられており、このシャッター１６ａは、バラ紙幣出金部１６の前面に面する開口および帯封紙幣出金部１７の前面に面する開口を一体的に開閉するようになっている。そして、シャッター１６ａによりバラ紙幣出金部１６および帯封紙幣出金部１７の開口が開かれると、操作者はバラ紙幣出金部１６および帯封紙幣出金部１７にそれぞれアクセスすることができるようになり、当該操作者はバラ紙幣出金部１６や帯封紙幣出金部１７に集積されているバラ紙幣や帯封紙幣を筐体１２の外部に取り出すことができるようになる。このようなシャッター１６ａはシャッター駆動部１６ｂ（図３参照）により駆動されるようになっている。
【００２３】
図２に示すように、筐体１２の前面における入金部１４の下方には、紙幣処理装置２においてバラ紙幣の出金処理が行われる際にバラ紙幣出金部１６により出金すべきではないと判断されたバラ紙幣が集積される出金リジェクト部２４、および紙幣処理装置２においてバラ紙幣の入金処理が行われる際に後述する一括バラ紙幣収納庫３２や各金種別バラ紙幣収納庫３４に収納すべきではないと判断されたバラ紙幣が集積される入金リジェクト部２６がそれぞれ設けられている。ここで、図１および図２に示すように、出金リジェクト部２４および入金リジェクト部２６にはそれぞれシャッター２４ａ、２６ａが設けられており、これらのシャッター２４ａ、２６ａは、出金リジェクト部２４や入金リジェクト部２６における筐体１２の前面に面する開口をそれぞれ開閉するようになっている。そして、シャッター２４ａ、２６ａにより出金リジェクト部２４や入金リジェクト部２６の開口が開かれると、操作者は出金リジェクト部２４や入金リジェクト部２６にアクセスすることができるようになり、当該操作者は出金リジェクト部２４や入金リジェクト部２６に集積されているバラ紙幣を筐体１２の外部に取り出すことができるようになる。このようなシャッター２４ａ、２６ａはシャッター駆動部２４ｂ、２６ｂ（図３参照）により駆動されるようになっている。なお、シャッター２６ａを設けずに入金リジェクト部２６を開放したままの状態としてもよい。また、本実施の形態では、入金部１４の隣である直下に出金リジェクト部２４が配置されているため、出金リジェクト部２４内の出金リジェクト紙幣を入金部１４に投入して筐体１２内へ戻すようないわゆる出金リジェクト戻し処理を行なうときに、離れた位置から入金部１４へ投入するのではないので利便性に富んでいる。
【００２４】
図２に示すように、入金部１４には、当該入金部１４に投入されたバラ紙幣を１枚ずつ筐体１２の内部に繰り出すための紙幣繰出機構１４ｃが設けられている。また、紙幣処理装置２の筐体１２の内部には、当該筐体１２内でバラ紙幣を１枚ずつ搬送する搬送部１５が設けられており、紙幣繰出機構１４ｃにより入金部１４から繰り出されたバラ紙幣は当該搬送部１５により搬送されるようになっている。また、搬送部１５には識別部２０が設けられており、搬送部１５により搬送されるバラ紙幣は識別部２０によりその金種、真偽、表裏、正損、新旧、搬送状態等が識別されるようになっている。また、搬送部１５には表裏反転部２２が設けられており、識別部２０により識別されたバラ紙幣は表裏反転部２２によりその表裏が揃うように選択的に反転させられるようになっている。このような表裏反転部２２によりバラ紙幣の表裏を選択的に反転させる動作の詳細については後述する。また、図２に示すように表裏反転部２２にはＳ字状の搬送路が設けられているため、表裏反転部２２に送られたバラ紙幣に曲げクセや折れクセがある場合でも、当該バラ紙幣がＳ字状の搬送路を通過することによりこのバラ紙幣の曲げクセや折れクセを緩めることができるようになる。
【００２５】
また、図２に示すように、搬送部１５には入金一時保留部３０、一括バラ紙幣収納庫３２および複数（図２に示す例では３つ）の金種別バラ紙幣収納庫３４がそれぞれ接続されており、搬送部１５からこれらの入金一時保留部３０、一括バラ紙幣収納庫３２および各金種別バラ紙幣収納庫３４にバラ紙幣が送られるようになっている。これらの入金一時保留部３０、一括バラ紙幣収納庫３２および各金種別バラ紙幣収納庫３４では、バラ紙幣が積層状態で集積されるようになっている。より詳細には、入金一時保留部３０、一括バラ紙幣収納庫３２および各金種別バラ紙幣収納庫３４の各々は、その上端部から紙幣を繰り入れて収納するととともに収納されている紙幣を上端部から繰り出すような構成となっている。
【００２６】
また、入金一時保留部３０の上端部の近傍には紙幣繰出繰入機構３０ａが設けられており、当該入金一時保留部３０に一時的に保留されているバラ紙幣は紙幣繰出繰入機構３０ａにより１枚ずつ搬送部１５に繰り出されるようになっている。また、紙幣繰出繰入機構３０ａにより搬送部１５から入金一時保留部３０に紙幣が１枚ずつ繰り入れられるようになっている。ここで、入金一時保留部３０には、バラ紙幣の入金処理において識別部２０により識別されたバラ紙幣が一括バラ紙幣収納庫３２や各金種別バラ紙幣収納庫３４に収納される前に一時的に保留されるようになっている。
【００２７】
また、一括バラ紙幣収納庫３２の上端部の近傍には紙幣繰出繰入機構３２ａが設けられており、当該一括バラ紙幣収納庫３２に収納されているバラ紙幣は紙幣繰出繰入機構３２ａにより１枚ずつ搬送部１５に繰り出されるようになっている。また、紙幣繰出繰入機構３２ａにより搬送部１５から一括バラ紙幣収納庫３２にバラ紙幣が１枚ずつ繰り入れられるようになっている。ここで、一括バラ紙幣収納庫３２には、複数の金種のバラ紙幣が混合状態で収納されるようになっている。
【００２８】
また、各金種別バラ紙幣収納庫３４の上端部の近傍には紙幣繰出繰入機構３４ａが設けられており、各金種別バラ紙幣収納庫３４に収納されているバラ紙幣は紙幣繰出繰入機構３４ａにより１枚ずつ搬送部１５に繰り出されるようになっている。また、紙幣繰出繰入機構３４ａにより搬送部１５から各金種別バラ紙幣収納庫３４にバラ紙幣が１枚ずつ繰り入れられるようになっている。ここで、各金種別バラ紙幣収納庫３４には、それぞれ予め設定された特定の金種のバラ紙幣が収納されるようになっている。
【００２９】
図１および図２に示すように、筐体１２の下部には前扉１２ａが設けられており、この前扉１２ａを開くことにより操作者は入金一時保留部３０の内部にアクセスすることができるようになっている。また、入金一時保留部３０、一括バラ紙幣収納庫３２および各金種別バラ紙幣収納庫３４は、筐体１２の内部から手前側に（すなわち、図２における左方向に）引き出し可能となっている引出ユニット１３に収容されている。そして、操作者が前扉１２ａを開いて引出ユニット１３を筐体１２の内部から手前側に引き出すことにより、当該操作者は一括バラ紙幣収納庫３２および各金種別バラ紙幣収納庫３４を引出ユニット１３から取り外すことができるようになる。
【００３０】
また、図２に示すように、搬送部１５には複数（図２に示す例では２つ）の整理一時保留部４０が接続されており、当該搬送部１５から各整理一時保留部４０にバラ紙幣が送られるとこれらの整理一時保留部４０にバラ紙幣が積層状態で集積されるようになっている。また、本実施の形態による紙幣処理装置２では、所定枚数（例えば、１００枚）のバラ紙幣からなる紙幣束に帯封紙を巻くことにより帯封紙幣を形成する帯封機構５０が設けられている。
【００３１】
また、図２に示すように、筐体１２の内部には第１アーム機構４１および第２アーム機構４２が設けられている。第１アーム機構４１は、各整理一時保留部４０および帯封機構５０の間で移動可能となっており、各整理一時保留部４０に集積された所定枚数のバラ紙幣からなる紙幣束を帯封機構５０に搬送するようになっている。ここで、帯封機構５０において帯封処理が行われる際に、第１アーム機構４１の上下一対のアーム部により挟持された状態にある紙幣束の外周面に帯封紙が巻かれるようになっている。また、第１アーム機構４１は図２に示す位置から上方に移動して第２アーム機構４２に対向する位置まで到達することができるようになっている。このことにより、各整理一時保留部４０から第１アーム機構４１により取り出された１または複数の束状態のバラ紙幣を当該第１アーム機構４１から第２アーム機構４２に受け渡したり、帯封機構５０により形成された帯封紙幣を第１アーム機構４１から第２アーム機構４２に受け渡したりすることができるようになる。
【００３２】
第２アーム機構４２は図２に示す位置からバラ紙幣出金部１６に向かって筐体１２の手前側に（すなわち、図２における左方向に）移動することができるようになっている。このことにより、第１アーム機構４１から１または複数の束状態のバラ紙幣や帯封紙幣が第２アーム機構４２に受け渡された後、第２アーム機構４２の上下一対のアーム部により１または複数の束状態のバラ紙幣や帯封紙幣が挟持された状態で当該第２アーム機構４２が図２の矢印に示すようにバラ紙幣出金部１６に向かって移動することにより、第２アーム機構４２によって保持されている１または複数の束状態のバラ紙幣や帯封紙幣がバラ紙幣出金部１６に送られるようになる。より詳細には、図２に示すように、バラ紙幣出金部１６の背面側（すなわち、図２における右側）には、図２に示す位置から下方に移動可能となっている、鉛直方向に延びる板状の分離部材１９が設けられており、第２アーム機構４２の上下一対のアーム部により１または複数の束状態のバラ紙幣や帯封紙幣が挟持された状態で当該第２アーム機構４２の各アーム部がバラ紙幣出金部１６の内部にアクセスした後、分離部材１９が図２に示す位置から下方に移動し、その後に第２アーム機構４２において各アーム部から１または複数の束状態のバラ紙幣や帯封紙幣が解放されて当該第２アーム機構４２がバラ紙幣出金部１６から遠ざかる方向（すなわち、図２における右方向）に移動すると、１または複数の束状態のバラ紙幣や帯封紙幣は分離部材１９に当接することにより第２アーム機構４２から分離してバラ紙幣出金部１６に残るようになる。
【００３３】
また、図２に示すように、本実施の形態では、バラ紙幣出金部１６および帯封紙幣出金部１７をまたがって図２における上下方向に移動可能となっているステージ１８が設けられている。ここで、本実施の形態の紙幣処理装置２においてバラ紙幣の出金処理が行われる際には、ステージ１８は図２に示すように帯封紙幣出金部１７の底面近傍に位置するようになり、第２アーム機構４２からバラ紙幣出金部１６に送られた１または複数の束状態のバラ紙幣は当該バラ紙幣出金部１６に集積されるようになる。一方、本実施の形態の紙幣処理装置２において帯封紙幣の出金処理が行われる際には、ステージ１８は図２に示す位置から下方に移動してバラ紙幣出金部１６の底面近傍に位置するようになり、第２アーム機構４２からバラ紙幣出金部１６に帯封紙幣が送られると当該帯封紙幣はステージ１８に集積されるようになる。そして、ステージ１８が上昇してバラ紙幣出金部１６から帯封紙幣出金部１７に移動すると、ステージ１８から帯封紙幣出金部１７に帯封紙幣が受け渡されて当該帯封紙幣は帯封紙幣出金部１７に集積されるようになる。本実施の形態では、紙幣処理装置２において複数の帯封紙幣の出金処理が行われるときには、帯封紙幣出金部１７に帯封紙幣が下から順次積み上げられるようになる。
【００３４】
また、図２に示すように、筐体１２の内部における上部領域には、一括帯封紙幣収納庫７０および複数（図２に示す例では３つ）の金種別帯封紙幣収納庫７２が設けられており、これらの一括帯封紙幣収納庫７０や各金種別帯封紙幣収納庫７２には、帯封機構５０により形成された帯封紙幣が積層状態で収納されるようになっている。具体的には、一括帯封紙幣収納庫７０には、複数の金種の帯封紙幣が混合状態で収納されるようになっており、一方、各金種別帯封紙幣収納庫７２には、それぞれ予め設定された特定の金種の帯封紙幣が収納されるようになっている。ここで、ある金種の金種別帯封紙幣収納庫７２がフル状態またはニアフル状態であり当該金種別帯封紙幣収納庫７２に帯封紙幣をこれ以上収納することができなくなった場合には、当該金種の帯封紙幣はオーバーフロー帯封紙幣として一括帯封紙幣収納庫７０に収納されるようになる。
【００３５】
一括帯封紙幣収納庫７０および各金種別帯封紙幣収納庫７２の内部にはそれぞれ図２における上下方向に移動可能となっているステージ７０ａ、７２ａが設けられており、一括帯封紙幣収納庫７０および各金種別帯封紙幣収納庫７２の上端部（天井部分）に設けられた開口からこれらの一括帯封紙幣収納庫７０および各金種別帯封紙幣収納庫７２に送られた帯封紙幣はステージ７０ａ、７２ａ上に積層状態で集積されるようになっている。また、一括帯封紙幣収納庫７０や各金種別帯封紙幣収納庫７２から帯封紙幣を出す場合には、ステージ７０ａ、７２ａが上昇することにより一括帯封紙幣収納庫７０や各金種別帯封紙幣収納庫７２の上端部（天井部分）に設けられた開口から帯封紙幣が上方に出されるようになる。
【００３６】
また、これらの一括帯封紙幣収納庫７０や各金種別帯封紙幣収納庫７２の上方には帯封紙幣の搬送を行う帯封紙幣搬送部６０が設けられている。帯封紙幣搬送部６０は、複数の突起６０ａが等間隔で設けられた循環ベルト６０ｂを有しており、この循環ベルト６０ｂは図２における時計回りの方向および反時計回りの方向の両方向に循環移動することができるようになっている。そして、帯封紙幣搬送部６０により帯封紙幣が搬送される際に、当該帯封紙幣は循環ベルト６０ｂの下面に沿って突起６０ａにより引っ掛けられた状態で図２における左右いずれかの方向に移動するようになる。また、図２に示すように、帯封紙幣搬送部６０による帯封紙幣の搬送路における帯封紙幣出金部１７と一括帯封紙幣収納庫７０との間には判別部６２が設けられており、帯封紙幣搬送部６０により搬送される帯封紙幣は当該判別部６２によりその金種が判別されるようになっている。
【００３７】
ここで、帯封機構５０により形成された帯封紙幣を一括帯封紙幣収納庫７０や各金種別帯封紙幣収納庫７２に収納させる際には、第２アーム機構４２により帯封紙幣がステージ１８上に集積された後に当該ステージ１８が上昇して帯封紙幣搬送部６０の近傍の位置まで到達するようになる。また、循環ベルト６０ｂは図２における反時計回りの方向に循環移動する。このことにより、ステージ１８上の帯封紙幣が突起６０ａにより引っ掛けられて循環ベルト６０ｂの下面に沿って図２における右方向に搬送され、判別部６２によりその金種が判別された後、当該判別部６２による判別結果に基づいて一括帯封紙幣収納庫７０や各金種別帯封紙幣収納庫７２に収納されるようになる。一方、一括帯封紙幣収納庫７０や各金種別帯封紙幣収納庫７２に収納されている帯封紙幣を帯封紙幣出金部１７により出金する際には、循環ベルト６０ｂは図２における時計回りの方向に循環移動し、一括帯封紙幣収納庫７０や各金種別帯封紙幣収納庫７２から上方に押し出された帯封紙幣が突起６０ａにより引っ掛けられて循環ベルト６０ｂの下面に沿って図２における左方向に搬送されるようになる。また、ステージ１８が上昇して帯封紙幣搬送部６０の近傍の位置まで到達するようになる。そして、帯封紙幣搬送部６０により搬送される帯封紙幣の金種が判別部６２により判別された後、当該帯封紙幣はステージ１８上に１つずつ集積され、ステージ１８上に所定の数の帯封紙幣が集積されると当該ステージ１８が下降してこのステージ１８から帯封紙幣出金部１７に帯封紙幣が受け渡されるようになる。帯封紙幣が循環ベルト６０ｂの下面に沿って搬送される際に、一括帯封紙幣収納庫７０および各金種別帯封紙幣収納庫７２の上端部（天井部分）に設けられた開口のうち、帯封紙幣の繰り出しや繰り入れの対象となる一括帯封紙幣収納庫７０および各金種別帯封紙幣収納庫７２の開口が開くようになる。一方、帯封紙幣の繰り出しや繰り入れの対象外の一括帯封紙幣収納庫７０および各金種別帯封紙幣収納庫７２の開口はシャッター（図示しない）で塞がれるようになり、帯封紙幣の通過の妨げとならないようになっている。
【００３８】
また、本実施の形態の貨幣処理機１には、当該貨幣処理機１の各構成部材の制御を行う制御部８０が設けられている。より詳細には、図３に示すように、制御部８０には、紙幣処理装置２の入金部１４（具体的には、入金部１４に設けられた紙幣繰出機構１４ｃ）、搬送部１５、識別部２０、表裏反転部２２、入金一時保留部３０（具体的には、入金一時保留部３０に設けられた紙幣繰出繰入機構３０ａ）、一括バラ紙幣収納庫３２（具体的には、一括バラ紙幣収納庫３２に設けられた紙幣繰出繰入機構３２ａ）、各金種別バラ紙幣収納庫３４（具体的には、各金種別バラ紙幣収納庫３４に設けられた紙幣繰出繰入機構３４ａ）、第１アーム機構４１、第２アーム機構４２、帯封機構５０、帯封紙幣搬送部６０、判別部６２、一括帯封紙幣収納庫７０、各金種別帯封紙幣収納庫７２、各シャッター１４ａ、１６ａ、２４ａ、２６ａを開閉させるシャッター駆動部１４ｂ、１６ｂ、２４ｂ、２６ｂがそれぞれ接続されている。そして、識別部２０による紙幣の識別結果に係る信号や判別部６２による帯封紙幣の金種の判別結果に係る情報等が制御部８０に送られるとともに、制御部８０は紙幣処理装置２の各構成部材に指令信号を送ることによりこれらの構成部材の動作を制御するようになっている。
【００３９】
また、図３に示すように、制御部８０には硬貨処理装置３の各構成部材が接続されており、当該制御部８０が硬貨処理装置３の各構成部材の動作を制御することにより硬貨処理装置３においてバラ硬貨の入金処理や出金処理等が行われるようになっている。このような制御部８０による硬貨処理装置３の各構成部材の制御方法の詳細については説明を省略する。また、図３に示すように、制御部８０には操作表示部８２、記憶部８４、印字部８６および通信インターフェース部８８がそれぞれ通信可能に接続されている。図１に示すように、操作表示部８２は貨幣処理機１の前面に設けられたタッチパネル等からなり、当該操作表示部８２には、貨幣処理機１における貨幣の処理状況や、紙幣処理装置２や硬貨処理装置３に収納されているバラ紙幣、帯封紙幣およびバラ硬貨の在高等に関する情報が表示されるようになっている。また、操作者は操作表示部８２により制御部８０に対して様々な指令を与えることができるようになっている。
【００４０】
記憶部８４には、貨幣処理機１における貨幣の処理履歴や、紙幣処理装置２や硬貨処理装置３に収納されているバラ紙幣、帯封紙幣およびバラ硬貨の在高等に関する情報が記憶されるようになっている。また、図１に示すように、印字部８６は貨幣処理機１の前面に設けられたプリンタ等からなり、当該印字部８６は、貨幣処理機１における貨幣の処理履歴や、紙幣処理装置２や硬貨処理装置３に収納されているバラ紙幣、帯封紙幣およびバラ硬貨の在高等に関する情報をレシート等に印字するようになっている。また、制御部８０は通信インターフェース部８８を介して本実施の形態による貨幣処理機１とは別に設けられた外部装置（具体的には、例えば上位端末）に対して信号の送受信を行うことができるようになっている。
【００４１】
次に、このような構成からなる貨幣処理機１における紙幣処理装置２の動作について説明する。なお、以下に示すような紙幣処理装置２の動作は、制御部８０が紙幣処理装置２の各構成部材を制御することにより行われるようになっている。
【００４２】
まず、紙幣処理装置２においてバラ紙幣の入金処理を行う際の動作について図４に示すフローチャートおよび図５（ａ）（ｂ）に示す紙幣の流れ図を用いて説明する。本実施の形態による紙幣処理装置２が待機状態となっているときに、操作者が入金処理開始の指令を操作表示部８２により制御部８０に入力したり上位端末等の外部装置から通信インターフェース部８８を介して制御部８０に入金処理開始の指令が送信されたりすると、入金部１４に設けられたシャッター１４ａが開かれるようになり、操作者は入金部１４に１または複数のバラ紙幣を投入することができるようになる。入金部１４に投入されたバラ紙幣は紙幣繰出機構１４ｃにより１枚ずつ筐体１２内に繰り出され、搬送部１５により１枚ずつ搬送される（ＳＴＥＰ１）。そして、搬送部１５により搬送されるバラ紙幣は識別部２０によりその金種、真偽、表裏、正損、新旧、搬送状態等が識別される（ＳＴＥＰ２）。ここで、識別部２０により識別されたバラ紙幣が正常な紙幣である場合には（ＳＴＥＰ３の「ＹＥＳ」）、図５（ａ）に示すように、識別部２０により識別されたバラ紙幣を表裏反転部２２により選択的に反転させた後、この表裏反転部２２から搬送部１５により入金一時保留部３０に送ることによって、入金一時保留部３０で当該バラ紙幣が一時的に保留されるようにする（ＳＴＥＰ４）。この際に、入金一時保留部３０でバラ紙幣の表裏が所定の枚数毎に交互に入れ替えられた状態となるよう、入金一時保留部３０にバラ紙幣が送られる前に当該バラ紙幣は表裏反転部２２により選択的に反転されるようになる。ここで、図５（ａ）に示すように、バラ紙幣の入金処理時において表裏反転部２２にバラ紙幣が送られる前に当該バラ紙幣は識別部２０により識別されるようになっており、制御部８０は、識別部２０によるバラ紙幣の表裏に係る識別結果に基づいて、当該識別部２０により識別された紙幣を表裏反転部２２により反転させるか否かを決めるようになっている。このようにして、入金一時保留部３０において一時的に保留されるバラ紙幣は、その表裏が所定の枚数毎に（例えば、１００枚毎に）交互に入れ替えられた状態となる。一方、識別部２０によりバラ紙幣を識別することができなかったり、識別部２０により識別されたバラ紙幣が正常な紙幣ではなかったりした場合には（ＳＴＥＰ３の「ＮＯ」）、当該バラ紙幣は表裏反転部２２から搬送部１５により入金リジェクト部２６に送られる（ＳＴＥＰ５）。ここで、入金部１４に投入されたバラ紙幣が全て筐体１２内に繰り出されると、入金リジェクト部２６に設けられたシャッター２６ａが開かれるようになり、操作者は入金リジェクト部２６に集積されたリジェクト紙幣を手動で取り出して入金部１４に再投入等することができるようになる。
【００４３】
そして、入金部１４に投入されたバラ紙幣が全て筐体１２内に繰り出されて入金一時保留部３０または入金リジェクト部２６に送られると（ＳＴＥＰ６の「ＹＥＳ」）、操作表示部８２には操作者に対して入金確定の指令を促すメッセージが表示される。操作表示部８２に表示される当該メッセージを見た操作者が操作表示部８２により入金確定の指令を制御部８０に入力すると（ＳＴＥＰ７の「ＹＥＳ」）、入金一時保留部３０から紙幣繰出繰入機構３０ａによりバラ紙幣が１枚ずつ搬送部１５に繰り出される（ＳＴＥＰ８）。ここで、入金一時保留部３０に積層状態で収納されているバラ紙幣は、その表裏が所定の枚数毎に（例えば、１００枚毎に）交互に入れ替えられた状態となっているため、当該入金一時保留部３０からバラ紙幣を繰り出す際に繰り出し不良が発生することを防止することができる。もし仮に、入金一時保留部３０に収納されているバラ紙幣の表裏が揃っている場合には、入金一時保留部３０に一時的に保留されているバラ紙幣の枚数が多くなった場合に、各バラ紙幣の印刷面の凹凸が積み重なることにより最上層のバラ紙幣が水平状態ではなくなってしまい、このような状態でバラ紙幣を入金一時保留部３０の上端部から繰り出すとバラ紙幣の繰り出し不良が発生してしまうおそれがある。これに対して、本実施の形態では、表裏が所定の枚数毎に（例えば、１００枚毎に）交互に入れ替えられた状態でバラ紙幣が入金一時保留部３０に積層状態で収納されているため、このようなトラブルが発生してしまうことを抑制することができる。
【００４４】
入金一時保留部３０から繰り出されたバラ紙幣は搬送部１５により識別部２０に送られて当該識別部２０により識別される（ＳＴＥＰ９）。また、本実施の形態では、図５（ｂ）に示すように、識別部２０により識別されたバラ紙幣を表裏反転部２２により選択的に反転させた後、この表裏反転部２２から搬送部１５により金種別バラ紙幣収納庫３４に送り、この金種別バラ紙幣収納庫３４に金種毎に収納させる（ＳＴＥＰ１０）。この際に、金種別バラ紙幣収納庫３４でバラ紙幣の表裏が所定の枚数毎に交互に入れ替えられた状態となるよう、金種別バラ紙幣収納庫３４にバラ紙幣が送られる前に当該バラ紙幣は表裏反転部２２により選択的に反転されるようになる。ここで、図５（ｂ）に示すように、バラ紙幣の入金処理時において表裏反転部２２にバラ紙幣が送られる前に当該バラ紙幣は識別部２０により識別されるようになっており、制御部８０は、識別部２０によるバラ紙幣の表裏に係る識別結果に基づいて、当該識別部２０により識別された紙幣の表裏を表裏反転部２２により反転させるか否かを決めるようになっている。このようにして、金種別バラ紙幣収納庫３４に保留されるバラ紙幣は、その表裏が所定の枚数毎に（例えば、１００枚毎に）交互に入れ替えられた状態となる。ここで、金種別バラ紙幣収納庫３４へ収納されるバラ紙幣の表裏が所定の枚数毎に交互に入れ替えられた状態とするために、入金一時保留部３０から繰り出されたバラ紙幣を識別部２０による表裏に係る識別結果に基づいて、表裏反転部２２によって反転させるか否かを決めるようにしているが、入金一時保留部３０にバラ紙幣を保留する際に、すでに表裏を所定の枚数毎に交互に入れ替えられた状態としているため、入金一時保留部３０からバラ紙幣を繰り出して金種別バラ紙幣収納庫３４へ搬送する際は、識別部２０による表裏に係る識別結果に関係なく表裏反転部２２は機能させずに（表裏を反転させることなく）通過させるだけにしてもよい。
【００４５】
なお、識別部２０により識別されたバラ紙幣が金種別バラ紙幣収納庫３４に金種毎に収納される際に、対応する金種の金種別バラ紙幣収納庫３４がフル状態またはニアフル状態であり当該金種別バラ紙幣収納庫３４にバラ紙幣をこれ以上収納させることができない場合にはこのバラ紙幣はオーバーフロー紙幣として一括バラ紙幣収納庫３２に送られるようになる。そして、入金一時保留部３０からバラ紙幣が全て搬送部１５に繰り出されて各金種別バラ紙幣収納庫３４や一括バラ紙幣収納庫３２に送られると（ＳＴＥＰ１１の「ＹＥＳ」）、紙幣処理装置２におけるバラ紙幣の入金処理に係る一連の動作が完了する。
【００４６】
一方、操作者に対して入金確定の指令を促すメッセージが操作表示部８２に表示されたときに、操作者が操作表示部８２により入金確定の指令ではなく返却の指令を入力すると（ＳＴＥＰ１２の「ＹＥＳ」）、入金一時保留部３０から紙幣繰出繰入機構３０ａによりバラ紙幣が１枚ずつ搬送部１５に繰り出され、この繰り出されたバラ紙幣は搬送部１５により上下の整理一時保留部４０のうち一方の整理一時保留部４０に送られ、当該整理一時保留部４０に集積される。そして、入金一時保留部３０からバラ紙幣が全て搬送部１５に繰り出されて整理一時保留部４０に集積されると、整理一時保留部４０に集積されたバラ紙幣の束が第１アーム機構４１により当該整理一時保留部４０から取り出され、この紙幣の束は第１アーム機構４１から第２アーム機構４２に受け渡され、当該第２アーム機構４２により紙幣の束がバラ紙幣出金部１６に送られる（ＳＴＥＰ１３）。ここで、バラ紙幣の返却処理が行われる際には、ステージ１８は図２に示すように帯封紙幣出金部１７の底面近傍に位置するようになり、第２アーム機構４２からバラ紙幣出金部１６に送られたバラ紙幣は当該バラ紙幣出金部１６に集積されるようになる。そして、返却されるべきバラ紙幣が全てバラ紙幣出金部１６に送られると、このバラ紙幣出金部１６に設けられたシャッター１６ａが開くことにより、操作者はバラ紙幣出金部１６からバラ紙幣を取り出すことができるようになる。
【００４７】
なお、返却の指令が入力された場合、上記のように入金一時保留部３０から繰り出されたバラ紙幣をバラ紙幣出金部１６に送って、このバラ紙幣出金部１６からバラ紙幣を取り出してもよいが、バラ紙幣出金部１６へ一度に集積できるバラ紙幣の枚数に限度があるので、バラ紙幣の返却枚数が大量にある場合、何回かに分けて上記の操作をしなければならず、時間がかかってしまう。その場合は、筐体１２の下部の前扉１２ａを開いて入金一時保留部３０から直接バラ紙幣を手動で取り出すようにすることもできる。前扉１２ａは通常はロックされているが、返却の指令が入力されたときは、ロックを解除して直接バラ紙幣を入金一時保留部３０から取り出すか否かを選択できるようにしておくとよい。
【００４８】
次に、紙幣処理装置２においてバラ紙幣の出金処理を行う際の動作について図６に示すフローチャートおよび図７に示す紙幣の流れ図を用いて説明する。本実施の形態による紙幣処理装置２が待機状態となっているときに、出金すべきバラ紙幣の金種毎の枚数や合計金額等に係る情報を含むバラ紙幣の出金処理開始の指令を操作者が操作表示部８２により制御部８０に入力したり上位端末等の外部装置から通信インターフェース部８８を介して制御部８０に上記のバラ紙幣の出金処理開始の指令が送信されたりすると、出金すべき金種のバラ紙幣が各金種別バラ紙幣収納庫３４から１枚ずつ紙幣繰出繰入機構３４ａにより搬送部１５に繰り出される（ＳＴＥＰ２１）。ここで、上記のバラ紙幣の入金処理でも説明したように、金種別バラ紙幣収納庫３４には、表裏が所定の枚数毎に（例えば、１００枚毎に）交互に入れ替えられた状態でバラ紙幣が収納されるため、当該金種別バラ紙幣収納庫３４からバラ紙幣を繰り出す際に繰り出し不良が発生することを防止することができる。そして、搬送部１５に繰り出されたバラ紙幣は当該搬送部１５により１枚ずつ搬送され、識別部２０によりその金種、表裏、搬送状態等が識別される（ＳＴＥＰ２２）。ここで、識別部２０により識別されたバラ紙幣が正常な紙幣である場合には（ＳＴＥＰ２３の「ＹＥＳ」）、識別部２０により識別されたバラ紙幣を表裏反転部２２により選択的に反転させた後、この表裏反転部２２から搬送部１５により上下の整理一時保留部４０のうち一方の整理一時保留部４０に送り、この整理一時保留部４０で集積されるようにする（ＳＴＥＰ２４）。この際に、整理一時保留部４０に集積される紙幣の表裏が揃うよう、識別部２０から整理一時保留部４０にバラ紙幣が送られる前に当該バラ紙幣は表裏反転部２２により選択的に反転されるようになる。ここで、図７に示すように、バラ紙幣の出金処理時において表裏反転部２２にバラ紙幣が送られる前に当該バラ紙幣は識別部２０により識別されるようになっており、制御部８０は、識別部２０によるバラ紙幣の表裏に係る識別結果に基づいて、当該識別部２０により識別された紙幣を表裏反転部２２により反転させるか否かを決めるようになっている。このようにして、整理一時保留部４０に集積されるバラ紙幣は、その表裏が揃った状態となる。一方、識別部２０により識別されたバラ紙幣が正常な紙幣ではない場合には（ＳＴＥＰ２３の「ＮＯ」）、識別部２０を通過したバラ紙幣は搬送部１５により出金リジェクト部２４に送られ、この出金リジェクト部２４に集積されるようになる。
【００４９】
そして、出金されるべきバラ紙幣が全て各金種別バラ紙幣収納庫３４から繰り出されて整理一時保留部４０に送られると（ＳＴＥＰ２６の「ＹＥＳ」）、整理一時保留部４０に集積されたバラ紙幣の束が第１アーム機構４１により当該整理一時保留部４０から取り出される。その後、第１アーム機構４１が図２に示す位置から上昇して第２アーム機構４２に対向する位置まで移動することにより、整理一時保留部４０から取り出されたバラ紙幣の束は第１アーム機構４１から第２アーム機構４２に受け渡され、当該第２アーム機構４２によりバラ紙幣の束がバラ紙幣出金部１６に送られる（ＳＴＥＰ２７）。ここで、バラ紙幣の出金処理が行われる際には、ステージ１８は図２に示すように帯封紙幣出金部１７の底面近傍に位置するようになり、第２アーム機構４２からバラ紙幣出金部１６に送られたバラ紙幣は当該バラ紙幣出金部１６に集積されるようになる。そして、出金されるべきバラ紙幣が全てバラ紙幣出金部１６に送られると、このバラ紙幣出金部１６に設けられたシャッター１６ａが開くことにより、操作者はバラ紙幣出金部１６からバラ紙幣を取り出すことができるようになる（ＳＴＥＰ２８）。ここで、上述したように整理一時保留部４０には表裏が揃った状態でバラ紙幣が集積されるようになっているため、この整理一時保留部４０から第１アーム機構４１および第２アーム機構４２によりバラ紙幣出金部１６に送られたバラ紙幣も表裏が揃った状態となり、操作者はバラ紙幣出金部１６からバラ紙幣を取り出す際に表裏が揃った状態のバラ紙幣を取得することができるようになる。
【００５０】
次に、紙幣処理装置２において帯封紙幣の出金処理を行う際の動作について説明する。本実施の形態による紙幣処理装置２が待機状態となっているときに、出金すべき帯封紙幣の金種毎の数や合計金額等に係る情報を含む帯封紙幣の出金処理開始の指令を操作者が操作表示部８２により制御部８０に入力したり上位端末等の外部装置から通信インターフェース部８８を介して制御部８０に上記の帯封紙幣の出金処理開始の指令が送信されたりすると、出金すべき帯封紙幣の金種に対応するバラ紙幣が各金種別バラ紙幣収納庫３４から１枚ずつ紙幣繰出繰入機構３４ａにより搬送部１５に繰り出される。そして、搬送部１５に繰り出されたバラ紙幣は当該搬送部１５により１枚ずつ搬送され、識別部２０によりその金種、表裏、搬送状態等が識別される。また、識別部２０により識別されたバラ紙幣は表裏反転部２２によりその表裏が整えられる。この際に、整理一時保留部４０に集積される紙幣の表裏が揃うよう、識別部２０から整理一時保留部４０にバラ紙幣が送られる前に当該バラ紙幣は表裏反転部２２により選択的に反転されるようになる。その後、バラ紙幣は搬送部１５により上下の整理一時保留部４０のうち一方の整理一時保留部４０に送られ、当該整理一時保留部４０に集積される。
【００５１】
そして、整理一時保留部４０に集積されたバラ紙幣の枚数が所定枚数（具体的には、例えば１００枚）に達すると、整理一時保留部４０に集積されたバラ紙幣の束が第１アーム機構４１により当該整理一時保留部４０から取り出され、この紙幣束は第１アーム機構４１により帯封機構５０に送られる。そして、帯封機構５０において、第１アーム機構４１の上下一対のアーム部により紙幣束が挟持された状態でこの紙幣束の外周面に帯封紙が巻かれることにより帯封紙幣が形成される。その後、第１アーム機構４１は帯封紙幣を保持した状態で図２に示す位置から上方に移動して第２アーム機構４２に対向する位置まで到達すると、第１アーム機構４１から第２アーム機構４２に帯封紙幣が受け渡される。そして、第２アーム機構４２が図２に示す位置からバラ紙幣出金部１６に向かって左方向に移動し、帯封紙幣がバラ紙幣出金部１６に送られる。ここで、帯封紙幣の出金処理が行われる際には、ステージ１８は図２に示す位置から下方に移動してバラ紙幣出金部１６の底面近傍に位置するようになり、第２アーム機構４２からバラ紙幣出金部１６に帯封紙幣が送られると当該帯封紙幣はステージ１８に集積されるようになる。そして、ステージ１８が上昇してバラ紙幣出金部１６から帯封紙幣出金部１７に移動すると、ステージ１８から帯封紙幣出金部１７に帯封紙幣が受け渡されて当該帯封紙幣は帯封紙幣出金部１７に集積されるようになる。本実施の形態では、紙幣処理装置２において複数の帯封紙幣の出金処理が行われるときには、帯封紙幣出金部１７に帯封紙幣が下から順次積み上げられるようになる。そして、出金されるべき帯封紙幣が全て帯封紙幣出金部１７に送られると、バラ紙幣出金部１６に設けられたシャッター１６ａが開くことにより帯封紙幣出金部１７における筐体１２の前面に面する開口も開くようになり、操作者は帯封紙幣出金部１７から帯封紙幣を取り出すことができるようになる。
【００５２】
次に、紙幣処理装置２において帯封紙幣を形成して一括帯封紙幣収納庫７０や各金種別帯封紙幣収納庫７２に収納させるような帯封紙幣の収納処理を行う際の動作について説明する。紙幣処理装置２において帯封紙幣の収納処理を行う際の動作において、第２アーム機構４２からバラ紙幣出金部１６に送られた帯封紙幣がステージ１８に集積されるまでの動作は上述した帯封紙幣の出金処理を行う際の動作と同一である。このため、帯封紙幣がステージ１８に集積された後の動作について以下に説明する。
【００５３】
帯封機構５０により形成された帯封紙幣が第２アーム機構４２によりステージ１８上に集積されると、当該ステージ１８が上昇して帯封紙幣搬送部６０の近傍の位置まで到達する。また、帯封紙幣の収納処理が行われる際に、循環ベルト６０ｂは図２における反時計回りの方向に循環移動する。このことにより、帯封紙幣搬送部６０の近傍の位置に到達したステージ１８上の帯封紙幣が突起６０ａにより引っ掛けられて循環ベルト６０ｂの下面に沿って図２における右方向に搬送される。そして、帯封紙幣搬送部６０により搬送される帯封紙幣は判別部６２によりその金種が判別された後、当該判別部６２による判別結果に基づいて一括帯封紙幣収納庫７０や各金種別帯封紙幣収納庫７２に収納されるようになる。ここで、帯封紙幣搬送部６０により搬送される帯封紙幣は、基本的には判別部６２により判別された金種に対応する各金種別帯封紙幣収納庫７２に収納されるが、判別部６２により判別された金種に対応する金種別帯封紙幣収納庫７２がフル状態またはニアフル状態であり当該金種別帯封紙幣収納庫７２に帯封紙幣をこれ以上収納することができない場合には、当該帯封紙幣はオーバーフロー帯封紙幣として一括帯封紙幣収納庫７０に収納されるようになる。
【００５４】
次に、紙幣処理装置２において一括帯封紙幣収納庫７０や各金種別帯封紙幣収納庫７２に収納されている帯封処理の出金処理を行う際の動作について説明する。一括帯封紙幣収納庫７０や各金種別帯封紙幣収納庫７２に収納されている帯封紙幣を帯封紙幣出金部１７により筐体１２の外部に出金する際には、循環ベルト６０ｂが図２における時計回りの方向に循環移動する。また、一括帯封紙幣収納庫７０や各金種別帯封紙幣収納庫７２において帯封紙幣が集積されているステージ７０ａ、７２ａが上昇することにより最上層にある帯封紙幣が突起６０ａにより引っ掛けられて循環ベルト６０ｂの下面に沿って図２における左方向に搬送される。また、ステージ１８が上昇して帯封紙幣搬送部６０の近傍の位置まで到達するようになる。そして、帯封紙幣搬送部６０により搬送される帯封紙幣の金種が判別部６２により判別された後、当該帯封紙幣はステージ１８上に１つずつ集積され、ステージ１８に所定の数の帯封紙幣が集積されると当該ステージ１８が下降してこのステージ１８から帯封紙幣出金部１７に帯封紙幣が受け渡されるようになる。そして、出金されるべき帯封紙幣が全て帯封紙幣出金部１７に送られると、バラ紙幣出金部１６に設けられたシャッター１６ａが開くことにより帯封紙幣出金部１７における筐体１２の前面に面する開口も開くようになり、操作者は帯封紙幣出金部１７から帯封紙幣を取り出すことができるようになる。
【００５５】
また、本実施の形態の紙幣処理装置２では、バラ紙幣の入金処理を行う際に、入金部１４に投入されたバラ紙幣の枚数が多く、当該入金部１４に投入されたバラ紙幣の枚数が一括バラ紙幣収納庫３２や各金種別バラ紙幣収納庫３４に収納することが可能なバラ紙幣の枚数を超えていることが予め分かっている場合には、入金部１４に投入されたバラ紙幣を入金一時保留部３０に送ってこの入金一時保留部３０で一時的に保留させた後、この入金一時保留部３０からバラ紙幣を一括バラ紙幣収納庫３２や各金種別バラ紙幣収納庫３４ではなく整理一時保留部４０に送るような運用を行うことができるようになっている。このような運用について図８（ａ）（ｂ）に示す紙幣の流れ図を用いて説明する。
【００５６】
バラ紙幣の入金処理が行われる際に、図８（ａ）に示すように入金部１４に投入されたバラ紙幣は紙幣繰出機構１４ｃにより１枚ずつ筐体１２内に繰り出され、識別部２０によりその金種、真偽、表裏、正損、新旧、搬送状態等が識別されて表裏反転部２２により選択的に反転させられた後に入金一時保留部３０に送られ、この入金一時保留部３０で一時的に保留される。そして、入金部１４に投入されたバラ紙幣が全て筐体１２内に繰り出されて入金一時保留部３０や入金リジェクト部２６に送られた後に、操作者によって操作表示部８２により入金確定の指令が制御部８０に与えられると、制御部８０において、識別部２０によるバラ紙幣の識別結果に基づいて算出される入金一時保留部３０内のバラ紙幣の枚数が、一括バラ紙幣収納庫３２や各金種別バラ紙幣収納庫３４に収納することが可能なバラ紙幣の枚数よりも多いか否かの判断が行われる。そして、入金一時保留部３０で一時的に保留されるバラ紙幣の枚数が、一括バラ紙幣収納庫３２や各金種別バラ紙幣収納庫３４に収納することが可能なバラ紙幣の枚数よりも多いと制御部８０により判断された場合には、図８（ｂ）に示すように入金一時保留部３０から繰り出されたバラ紙幣は一括バラ紙幣収納庫３２や各金種別バラ紙幣収納庫３４に送られるのではなく上下の整理一時保留部４０のうち一方の整理一時保留部４０に送られ、当該整理一時保留部４０に集積される。この際に、整理一時保留部４０に集積される紙幣の表裏が揃うよう、識別部２０から整理一時保留部４０にバラ紙幣が送られる前に当該バラ紙幣は表裏反転部２２により選択的に反転されるようになる。
【００５７】
そして、整理一時保留部４０に集積されたバラ紙幣の枚数が所定枚数（具体的には、例えば１００枚）に達すると、整理一時保留部４０に集積されたバラ紙幣の束が第１アーム機構４１により当該整理一時保留部４０から取り出され、この紙幣束は第１アーム機構４１により帯封機構５０に送られる。そして、帯封機構５０において、第１アーム機構４１の上下一対のアーム部により紙幣束が挟持された状態でこの紙幣束の外周面に帯封紙が巻かれることにより帯封紙幣が形成される。その後、帯封機構５０において形成された帯封紙幣は帯封紙幣出金部１７に送られるか、あるいは一括帯封紙幣収納庫７０や各金種別帯封紙幣収納庫７２に収納されるようになる。なお、帯封機構５０により帯封されない金種のバラ紙幣については、入金一時保留部３０から搬送部１５に繰り出され、識別部２０により識別された後に当該搬送部１５により一括バラ紙幣収納庫３２に送られるようになる。また、帯封機構５０において形成された帯封紙幣が帯封紙幣出金部１７に送られる場合には、入金一時保留部３０からバラ紙幣が全て繰り出されて帯封機構５０により帯封処理が行われて帯封紙幣出金部１７に送られた後に、バラ紙幣出金部１６に設けられたシャッター１６ａが開くようになり、このことにより帯封紙幣出金部１７における筐体１２の前面に面する開口も開くようになるため、操作者は帯封紙幣出金部１７から帯封紙幣を取り出すことができるようになる。
【００５８】
また、帯封機構５０において整理一時保留部４０から第１アーム機構４１により取り出されたバラ紙幣の帯封処理が行われる際に、入金一時保留部３０から整理一時保留部４０に送られたバラ紙幣の枚数が所定枚数に達しないようになった場合には、不足枚数分のバラ紙幣が各金種別バラ紙幣収納庫３４から搬送部１５に繰り出されて識別部２０により識別された後に整理一時保留部４０に送られるようになる。このことにより、帯封機構５０においてバラ紙幣の帯封処理が行われる際に入金一時保留部３０から整理一時保留部４０に送られたバラ紙幣を全て帯封することができるようになり、端数のバラ紙幣が発生することを防止することができる。
【００５９】
図８の紙幣の流れ図に示すような紙幣処理装置２の運用が行われる場合には、大量のバラ紙幣の入金処理が行われる際に、入金一時保留部３０に一時的に保留されるバラ紙幣を一括バラ紙幣収納庫３２や金種別バラ紙幣収納庫３４に送ることなく整理一時保留部４０に直接送って帯封機構５０により帯封しているため、バラ紙幣の処理時間を大幅に短縮することができるようになる。また、図８の紙幣の流れ図に示すような紙幣処理装置２の運用では、バラ紙幣を入金一時保留部３０で一時的に保留させることにより、入金一時保留部３０にバラ紙幣が一時的に保留された後にバラ紙幣の入金処理を取り消して当該バラ紙幣の返却処理を行うことができるようになる。すなわち、もし仮に、入金部１４により筐体１２の内部に繰り出されたバラ紙幣を搬送部１５により整理一時保留部４０に直接送るようにした場合には、入金部１４から整理一時保留部４０に直接送られたバラ紙幣は帯封機構５０によって帯封されるようになるため、バラ紙幣の入金処理を取り消して当該バラ紙幣の返却処理を行いたい場合に帯封紙幣の結束を解かなければならず操作者にとって面倒であるという問題がある。これに対し、図８の紙幣の流れ図に示すような紙幣処理装置２の運用では、入金一時保留部３０にバラ紙幣が一時的に保留された後に当該入金一時保留部３０から整理一時保留部４０にバラ紙幣を送って帯封機構５０により帯封しているため、バラ紙幣の入金処理を簡単に取り消して当該バラ紙幣の返却処理を行うことができるようになる。
【００６０】
また、入金一時保留部３０に一時的に保留されるバラ紙幣を一括バラ紙幣収納庫３２や金種別バラ紙幣収納庫３４に送ることなく整理一時保留部４０に直接送るような運用が行われる際に、整理一時保留部４０に送られたバラ紙幣を帯封機構５０によって帯封する代わりに、整理一時保留部４０から第１アーム機構４１および第２アーム機構４２によってバラ紙幣の束をバラ紙幣出金部１６に送るようになっていてもよい。また、筐体１２の内部に回収カセットが設けられている場合には、整理一時保留部４０に集積されたバラ紙幣を当該整理一時保留部４０から取り出して回収カセットに収納させることにより、バラ紙幣を回収カセットごと回収することができるようになっていてもよい。
【００６１】
以上のような構成からなる本実施の形態の紙幣処理装置２やこのような紙幣処理装置２による紙幣処理方法によれば、制御部８０は、バラ紙幣の入金処理時において入金部１４により筐体１２内に投入された紙幣が各金種別バラ紙幣収納庫３４に収納される際にバラ紙幣の表裏が交互に入れ替えられた状態で収納されるように、バラ紙幣の表裏を表裏反転部２２により選択的に反転させ、また、バラ紙幣の出金処理時においてバラ紙幣出金部１６に集積されるバラ紙幣の表裏が揃うように（すなわち、整理一時保留部４０に集積されるバラ紙幣の表裏が揃うように）、各金種別バラ紙幣収納庫３４から搬送部１５に繰り出されて当該搬送部１５によりバラ紙幣出金部１６に送られるバラ紙幣の表裏を表裏反転部２２により選択的に反転させるよう、表裏反転部２２の制御を行うようになっている。このように、各金種別バラ紙幣収納庫３４に収納されるバラ紙幣の表裏が交互に入れ替わるようにすることによって各金種別バラ紙幣収納庫３４からバラ紙幣を繰り出す際に繰り出し不良が発生することを防止することができ、しかもバラ紙幣出金部１６に集積されるバラ紙幣の表裏を揃えることによってバラ紙幣の出金処理が行われる際に表裏の揃った出金紙幣を操作者が受け取るようにすることができるようになる。
【００６２】
また、本実施の形態の紙幣処理装置２においては、上述したように、制御部８０は、バラ紙幣の入金処理時において入金部１４により筐体１２内に投入されたバラ紙幣が各金種別バラ紙幣収納庫３４に収納される際にバラ紙幣の表裏が所定の枚数毎に交互に入れ替えられた状態で各金種別バラ紙幣収納庫３４に収納されるようにバラ紙幣の表裏を選択的に反転させるよう、表裏反転部２２の制御を行うようになっている。なお、この際に、必ずしも一定の枚数毎にバラ紙幣の表裏を入れ替える必要はない。例えば１５０枚のバラ紙幣をそのおもて面が上を向くように金種別バラ紙幣収納庫３４に収納し、次に例えば１６０枚のバラ紙幣をその裏面が上を向くように金種別バラ紙幣収納庫３４に収納し、その後に例えば１３０枚のバラ紙幣をそのおもて面が上を向くように金種別バラ紙幣収納庫３４に収納するような運用が行われてもよい。
【００６３】
また、本実施の形態の紙幣処理装置２においては、上述したように、搬送部１５には、当該搬送部１５により搬送されるバラ紙幣の識別を行う識別部２０が設けられており、バラ紙幣の入金処理時および出金処理時において、表裏反転部２２にバラ紙幣が送られる前に当該紙幣は識別部２０により識別されるようになっており、制御部８０は、識別部２０による紙幣の表裏に係る識別結果に基づいて、当該識別部２０により識別されたバラ紙幣を表裏反転部２２により反転させるか否かを決めるようになっている。
【００６４】
また、本実施の形態の紙幣処理装置２においては、上述したように、バラ紙幣の入金処理時において入金部１４により筐体１２内に投入されたバラ紙幣が各金種別バラ紙幣収納庫３４に送られる前に一時的に保留される入金一時保留部３０が設けられており、この入金一時保留部３０は、搬送部１５に接続され、当該搬送部１５から送られたバラ紙幣を収納するとともに収納されているバラ紙幣を搬送部１５に繰り出すことができるようになっている。また、この場合に、入金部１４により筐体１２内に投入されたバラ紙幣が入金一時保留部３０に送られる前に当該バラ紙幣は表裏反転部２２を通るようになっており、制御部８０は、バラ紙幣の入金処理時において入金部１４により筐体１２内に投入されたバラ紙幣が入金一時保留部３０に収納される際にバラ紙幣の表裏が交互に入れ替えられた状態で入金一時保留部３０に収納されるように、バラ紙幣の表裏を表裏反転部２２により選択的に反転させるようになっている。このように、入金一時保留部３０に収納されるバラ紙幣の表裏が交互に入れ替わるようにすることによって当該入金一時保留部３０からバラ紙幣を繰り出す際に繰り出し不良が発生することを防止することができるようになる。
【００６５】
また、本実施の形態の紙幣処理装置２においては、上述したように、制御部８０は、入金部１４により筐体１２内に投入されたバラ紙幣が入金一時保留部３０に送られる前に当該バラ紙幣が表裏反転部２２を通るとともに入金一時保留部３０から各金種別バラ紙幣収納庫３４にバラ紙幣が送られる際にも当該バラ紙幣が表裏反転部２２を通るよう、搬送部１５の制御を行うようになっている。この場合には、入金部１４に投入されたバラ紙幣が各金種別バラ紙幣収納庫３４に収納されるまでに当該バラ紙幣は表裏反転部２２を２回通るようになるため、入金部１４に投入されたバラ紙幣に曲げクセや折れクセがある場合でも、このバラ紙幣を表裏反転部２２に２回通すことによって当該バラ紙幣の曲げクセや折れクセを十分に緩めることができるようになる。また、本実施の形態では、制御部８０は、バラ紙幣の入金処理時および出金処理時においてバラ紙幣が共通の表裏反転部２２を通るよう、搬送部１５の制御を行うようになっている。
【００６６】
また、入金処理時および出金処理時においてバラ紙幣が共通の表裏反転部２２を通る場合には、搬送部１５において、各金種別バラ紙幣収納庫３４から入金部１４と表裏反転部２２との間の箇所（すなわち、図２において参照符号２０ｍで示す箇所）にバラ紙幣を送る第１出金用搬送路２０ａ、および表裏反転部２２と各金種別バラ紙幣収納庫３４との間の箇所（すなわち、図２において参照符号２０ｎで示す箇所）からバラ紙幣出金部１６に紙幣を送る第２出金用搬送路２０ｂがそれぞれ設けられるようになる。このような第１出金用搬送路２０ａおよび第２出金用搬送路２０ｂを有するような搬送部１５の構成は、従来技術における表裏反転部が設けられた搬送部の構成と比較してシンプルなものとなり、よって筐体１２内のメンテナンスが容易となったり筐体１２の小型化を図ったりすることができるようになる。
【００６７】
なお、本実施の形態による紙幣処理装置２やこのような紙幣処理装置２による紙幣処理方法は、上述したような態様に限定されることはなく、様々な変更を加えることができる。
【００６８】
例えば、図２に示すような例では、入金一時保留部３０、一括バラ紙幣収納庫３２および各金種別バラ紙幣収納庫３４の各々は、その上端部から紙幣を繰り入れて収納するととともに収納されている紙幣を上端部から繰り出すような構成となっているが、このような構成に限定されることはない。変形例に係る紙幣処理装置では、入金一時保留部やバラ紙幣収納庫として、その上端部から紙幣を繰り入れて収納するととともに収納されている紙幣を下端部から繰り出すような構成のものが用いられてもよい。このような変形例に係る紙幣処理装置でも、本発明の原理を適用することにより、入金一時保留部やバラ紙幣収納庫にバラ紙幣を収納する際に、バラ紙幣の表裏が所定の枚数毎に交互に入れ替えられた状態で入金一時保留部やバラ紙幣収納庫に収納されるようにバラ紙幣の表裏が表裏反転部によって選択的に反転されるようになる。ここで、積層状態で紙幣が収納された入金一時保留部やバラ紙幣収納庫の下端部から紙幣を繰り出す場合に、表裏を揃えてバラ紙幣を収納させると、紙幣の収納枚数が多くなった場合に、バラ紙幣の印刷面の凹凸が重なった状態となりバラ紙幣間の隙間がなくなってしまうためバラ紙幣とバラ紙幣の分離を行うことができにくくなり、よってバラ紙幣の繰り出し不良が発生してしまうおそれがある。これに対し、本発明の原理を適用し、バラ紙幣の表裏が所定の枚数毎に交互に入れ替えられた状態で入金一時保留部やバラ紙幣収納庫にバラ紙幣を収納するようにした場合には、入金一時保留部やバラ紙幣収納庫からバラ紙幣を繰り出す際に繰り出し不良が発生することを防止することができるようになる。
【００６９】
また、上記の説明では、入金処理時および出金処理時においてバラ紙幣が共通の表裏反転部２２を通るような態様について述べたが、本発明の紙幣処理装置はこのような態様に限定されることはない。変形例に係る紙幣処理装置において、複数（例えば、２つ）の表裏反転部が筐体の内部に設けられており、入金処理時および出金処理時においてバラ紙幣が別々の表裏反転部を通るようになっていてもよい。
【００７０】
また、図２に示す紙幣処理装置２では入金部１４およびバラ紙幣出金部１６が別々に設けられているが、入金部１４およびバラ紙幣出金部１６をそれぞれ設置する代わりに、筐体１２の外部から内部にバラ紙幣を投入することができるとともに筐体１２の内部から外部にバラ紙幣を投出することができる入出金部（投出入部）が設けられるようになっていてもよい。このような入出金部は、筐体１２内に紙幣を投入するための投入部および筐体１２外に紙幣を投出するための投出部の機能を兼ねるようになる。
【符号の説明】
【００７１】
１      貨幣処理機
２      紙幣処理装置
３      硬貨処理装置
１２    筐体
１２ａ  前扉
１３    引出ユニット
１４    入金部
１４ａ  シャッター
１４ｂ  シャッター駆動部
１４ｃ  紙幣繰出機構
１５    搬送部
１６    バラ紙幣出金部
１６ａ  シャッター
１６ｂ  シャッター駆動部
１７    帯封紙幣出金部
１８    ステージ
１９    分離部材
２０    識別部
２０ａ  第１出金用搬送路
２０ｂ  第２出金用搬送路
２２    表裏反転部
２４    出金リジェクト部
２４ａ  シャッター
２４ｂ  シャッター駆動部
２６    入金リジェクト部
２６ａ  シャッター
２６ｂ  シャッター駆動部
３０    入金一時保留部
３０ａ  紙幣繰出繰入機構
３２    一括バラ紙幣収納庫
３２ａ  紙幣繰出繰入機構
３４    金種別バラ紙幣収納庫
３４ａ  紙幣繰出繰入機構
４０    整理一時保留部
４１    第１アーム機構
４２    第２アーム機構
５０    帯封機構
６０    帯封紙幣搬送部
６０ａ  突起
６０ｂ  循環ベルト
６２    判別部
７０    一括帯封紙幣収納庫
７０ａ  ステージ
７２    金種別帯封紙幣収納庫
７２ａ  ステージ
８０    制御部
８２    操作表示部
８４    記憶部
８６    印字部
８８    通信インターフェース部
【図１】
2016177570.tif 000003
【図２】
2016177570.tif 000004
【図３】
2016177570.tif 000005
【図４】
2016177570.tif 000006
【図５】
2016177570.tif 000007
【図６】
2016177570.tif 000008
【図７】
2016177570.tif 000009
【図８】
2016177570.tif 000010